【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
商品陳列装置や工場設備等の部品供給装置に用いられるプラスチック製のスライド板において、以下の構成としたことを特徴とする商品陳列装置や部品供給装置に用いられるプラスチック製品。（１）平板の表面上に、複数の突状リブが一方の長手方向に互いに平行に配置される第１の突状リブ群。（２）前記平板の表面上に、第１の突状リブ群と異なる角度で、複数の突状リブが長手方向に互いに平行に配置され、かつ、前記第１の突状リブ群に交差するように形成される第２の突状リブ群。（３）前記第１リブ群と第２リブ群で構成される空間部に形成される薄膜部。
【請求項２】
前記平板の表面上に設けられた第１の突状リブ群とそれに交差するように形成される第２の突状リブ群を、前記平板の裏面上にも対称的に設けることを特徴とする請求項１記載のプラスチック製品。
【請求項３】
商品陳列装置や工場設備等の部品供給装置に用いられるプラスチック製のスライド板において、以下の構成としたことを特徴とする商品陳列装置や部品供給装置に用いられるプラスチック製品。（１）平板の表面上に、複数の突状リブが一方の長手方向に互いに平行に配置される第１の突状リブ群。（２）前記平板の裏面上に、第１の突状リブ群と対称に、かつ、複数の突状リブが長手方向に互いに平行に配置され、前記第１の突状リブ群と重なり合うように形成される第２の突状リブ群。（３）前記第１リブ群と第２リブ群の各リブ間で構成される空間部に形成される薄膜部。
【請求項４】
前記第１の突状リブ群と前記第２の突状リブ群上に、前記第１および２の突状リブ群の周縁方向に伸びているものの、その周縁までには届かない構成で、かつ、前記第１および２の突状リブ群のリブ高さよりも低く形成される誘導帯を設けることを特徴とする請求項１ないし３のいずれか一つに記載のプラスチック製品。
【請求項５】
商品陳列装置や工場設備等の部品供給装置に用いられるプラスチック製のスライド板を製造する金型において、以下の構成としたことを特徴とする商品陳列装置や部品供給装置に用いられるプラスチック製品の金型。（１）金型の表面上に、複数の突状リブ溝が一方の長手方向に互いに平行に配置される第１の突状リブ群溝を有する上型（２）前記金型の表面上に、第１の突状リブ群溝と異なる角度で、複数の突状リブ溝が長手方向に互いに平行に配置され、かつ、前記第１の突状リブ群溝に交差するように形成される第２の突状リブ群溝を有する上型（３）表面が平板状の下型（４）前記上型と前記下型の押し合せ面において、完全に押切りができないように、前記上型および／または下型の周縁に段部を設け、この段部により形成される薄膜部溝
【請求項６】
前記上型の表面上に設けられた第１の突状リブ群とそれに交差するように形成される第２の突状リブ群を、前記下型の表面上にも対称的に設けることを特徴とする請求項５に記載のプラスチック製品の金型。
【請求項７】
商品陳列装置や工場設備等の部品供給装置に用いられるプラスチック製のスライド板において、以下の構成としたことを特徴とする商品陳列装置や部品供給装置に用いられるプラスチック製品の金型。（１）金型の表面上に、複数の突状リブ溝が一方の長手方向に互いに平行に配置される第１の突状リブ群溝を有する上型。（２）金型の表面上に、第１の突状リブ群溝と対称に、かつ、複数の突状リブ溝が長手方向に互いに平行に配置され、前記第１の突状リブ群溝と重なり合うように形成される第２の突状リブ群溝を有する下型。（３）前記上型と前記下型の押し合せ面において、完全に押切りができないように、前記上型および／または下型の周縁に段部を設け、この段部により形成される薄膜部溝
【請求項８】
前記第１の突状リブ群溝と前記第２の突状リブ群溝上に、前記第１および第２の突状リブ群溝の周縁方向に伸びているものの、その周縁までには届かない構成で、かつ、前記第１および２の突状リブ群溝の溝深さよりも浅く形成される誘導帯溝を設けることを特徴とする請求項５ないし７のいずれか一つに記載のプラスチック製品の金型。
【手続補正２】
【補正対象書類名】明細書
【補正対象項目名】０００６
【補正方法】変更
【補正の内容】
【０００６】［問題を解決するための手段］本発明の金型は、以下のことを特徴とするものである。請求項１においては、商品陳列装置や工場設備等の部品供給装置に用いられるプラスチック製のスライド板において、以下の構成としたことを特徴とする商品陳列装置や部品供給装置に用いられるプラスチック製品。（１）平板の表面上に、複数の突状リブが一方の長手方向に互いに平行に配置される第１の突状リブ群。（２）前記平板の表面上に、第１の突状リブ群と異なる角度で、複数の突状リブが長手方向に互いに平行に配置され、かつ、前記第１の突状リブ群に交差するように形成される第２の突状リブ群。（３）前記第１リブ群と第２リブ群で構成される空間部に形成される薄膜部。請求項２においては、請求項１に加えて、前記平板の表面上に設けられた第１の突状リブ群とそれに交差するように形成される第２の突状リブ群を、前記平板の裏面上にも対称的に設けることを特徴とする請求項１記載のプラスチック製品。請求項３においては、商品陳列装置や工場設備等の部品供給装置に用いられるプラスチック製のスライド板において、以下の構成としたことを特徴とする商品陳列装置や部品供給装置に用いられるプラスチック製品。（１）平板の表面上に、複数の突状リブが一方の長手方向に互いに平行に配置される第１の突状リブ群。（２）前記平板の裏面上に、第１の突状リブ群と対称に、かつ、複数の突状リブが長手方向に互いに平行に配置され、前記第１の突状リブ群と重なり合うように形成される第２の突状リブ群。（３）前記第１リブ群と第２リブ群の各リブ間で構成される空間部に形成される薄膜部。請求項４においては、前記第１の突状リブ群と前記第２の突状リブ群上に、前記第１および２の突状リブ群の周縁方向に伸びているものの、その周縁までには届かない構成で、かつ、前記第１および２の突状リブ群のリブ高さよりも低く形成される誘導帯を設けることを特徴とする請求項１ないし３のいずれか一つに記載のプラスチック製品。請求項５においては、商品陳列装置や工場設備等の部品供給装置に用いられるプラスチック製のスライド板を製造する金型において、以下の構成としたことを特徴とする商品陳列装置や部品供給装置に用いられるプラスチック製品の金型。（１）金型の表面上に、複数の突状リブ溝が一方の長手方向に互いに平行に配置される第１の突状リブ群溝を有する上型（２）前記金型の表面上に、第１の突状リブ群溝と異なる角度で、複数の突状リブ溝が長手方向に互いに平行に配置され、かつ、前記第１の突状リブ群溝に交差するように形成される第２の突状リブ群溝を有する上型（３）表面が平板状の下型（４）前記上型と前記下型の押し合せ面において、完全に押切りができないように、前記上型および／または下型の周縁に段部を設け、この段部により形成される薄膜部溝請求項６においては、請求項５に加えて、前記上型の表面上に設けられた第１の突状リブ群とそれに交差するように形成される第２の突状リブ群を、前記下型の表面上にも対称的に設けることを特徴とする請求項５に記載のプラスチック製品の金型。請求項７においては、商品陳列装置や工場設備等の部品供給装置に用いられるプラスチック製のスライド板において、以下の構成としたことを特徴とする商品陳列装置や部品供給装置に用いられるプラスチック製品の金型。（１）金型の表面上に、複数の突状リブ溝が一方の長手方向に互いに平行に配置される第１の突状リブ群溝を有する上型。（２）金型の表面上に、第１の突状リブ群溝と対称に、かつ、複数の突状リブ溝が長手方向に互いに平行に配置され、前記第１の突状リブ群溝と重なり合うように形成される第２の突状リブ群溝を有する下型。（３）前記上型と前記下型の押し合せ面において、完全に押切りができないように、前記上型および／または下型の周縁に段部を設け、この段部により形成される薄膜部溝請求項８においては、請求項５ないし７のいずれか一に加えて、前記第１の突状リブ群溝と前記第２の突状リブ群溝上に、前記第１および第２の突状リブ群溝の周縁方向に伸びているものの、その周縁までには届かない構成で、かつ、前記第１および２の突状リブ群溝の溝深さよりも浅く形成される誘導帯溝を設けることを特徴とする